(57)【特許請求の範囲】
【請求項１】
ネットワークを介して情報端末とサーバーとが接続され、情報端末は利用者によって入力されたキーワード及び利用者のディジタル放送受信装置のＩＤ番号を前記サーバーに送信し、前記サーバーは前記ＩＤ番号をディジタル放送事業者装置に送り、これに加えて前記キーワードを含む番組から成る個別番組表を作成してディジタル放送事業者装置に送るか、又はディジタル放送事業者装置が前記サーバーからキーワードを受け取って当該キーワードを含む番組から成る個別番組表を作成し、ディジタル放送事業者装置は前記ＩＤ番号及び個別番組表をディジタル放送波に載せて送出し、ディジタル放送受信装置は前記ＩＤ番号に基づいて自機宛ての個別番組表を取得して電子番組ガイドに利用するように構成されたことを特徴とするディジタル放送システム。
【請求項２】
ネットワークを介して情報端末とサーバーとが接続され、情報端末は利用者によって入力されたキーワード及び利用者のディジタル放送受信装置のＩＤ番号を前記サーバーに送信し、前記サーバーは前記キーワード及びＩＤ番号をディジタル放送事業者装置に送り、前記ディジタル放送事業者装置は前記ＩＤ番号及びキーワードをディジタル放送波に載せて送出し、ディジタル放送受信装置は前記ＩＤ番号に基づいて自機宛てのキーワードを取得し、このキーワードを含む番組から成る個別番組表を作成して電子番組ガイドに利用するように構成されたことを特徴とするディジタル放送システム。
【発明の詳細な説明】
【０００１】
【産業上の利用分野】
この発明は、ディジタル放送システム及びディジタル放送を受信するディジタル放送受信装置に関する。
【０００２】
【従来の技術】
衛星や地上波を用いたディジタル放送を受信するディジタル放送受信装置は、専用のアンテナや地上波用アンテナを通して受け取った複数の放送波のなかから任意の放送波をチューナによって選択し、この選択した放送波に含まれる複数のチャンネルなかから任意のチャンネルをデマルチプレクス処理によって選択し、この選択したチャンネルのディジタル信号を取り出し、これをデコードすることによって映像・音声信号を出力することができる。
【０００３】
このようなディジタル放送では、従来のアナログ放送と同様に映像や音声を送信することに加え、番組名、番組詳細、番組開始時間、番組終了時間、ジャンル情報なども送信しており、受信機側ではＯＳＤ表示回路を用いた電子番組ガイド（Ｅｌｅｃｔｒｏｎｉｃ  Ｐｒｏｇｒａｍ  Ｇｕｉｄｅ）画面表示によって、多チャンネル放送のなかから視聴者が望む番組を選択できるようになっている。
【０００４】
【発明が解決しようとする課題】
ところで、上記ジャンル情報による番組のジャンル検索機能は、利用者により指定されたジャンルの番組を番組情報（通常番組表）のなかから検索して表示する機能であるが、このジャンルは例えばニュース、映画といった大雑把な区分であり、今後予想されるＢＳディジタル放送とＣＳディジタル放送と地上波ディジタル放送の融合化による更なる多チャンネル／多番組化が進むなかでは、利用者が望む番組を適切に抽出して提示することが困難になると考えられる。
【０００５】
この発明は、上記の事情に鑑み、多チャンネル／多番組化が進むなかでも利用者が望む番組を適切に抽出して提示することができるディジタル放送システム及びディジタル放送受信装置を提供することを目的とする。
【０００６】
【課題を解決するための手段】
この発明のディジタル放送システムは、上記の課題を解決するために、ネットワークを介して情報端末とサーバーとが接続され、情報端末は利用者によって入力されたキーワード及び利用者のディジタル放送受信装置のＩＤ番号を前記サーバーに送信し、前記サーバーは前記ＩＤ番号をディジタル放送事業者装置に送り、これに加えて前記キーワードを含む番組から成る個別番組表を作成してディジタル放送事業者装置に送るか、又はディジタル放送事業者装置が前記サーバーからキーワードを受け取って当該キーワードを含む番組から成る個別番組表を作成し、ディジタル放送事業者装置は前記ＩＤ番号及び個別番組表をディジタル放送波に載せて送出し、ディジタル放送受信装置は前記ＩＤ番号に基づいて自機宛ての個別番組表を取得して電子番組ガイドに利用するように構成されたことを特徴とする。
【０００７】
上記構成においては、利用者は携帯電話等の情報端末を利用して番組選択のためのキーワードを前記サーバーに送信する。サーバー又はディジタル放送事業者装置が前記キーワードに基づいて個別番組表を作成し、ディジタル放送事業者装置がＩＤ番号によって個別のディジタル放送受信装置に宛てて前記個別番組表を配信する。自宅のディジタル放送受信装置は、ディジタル放送波にて前記個別番組表を受け取り、この個別番組表を利用して電子番組ガイド表示を行う。
【０００８】
また、この発明のディジタル放送システムは、ネットワークを介して情報端末とサーバーとが接続され、情報端末は利用者によって入力されたキーワード及び利用者のディジタル放送受信装置のＩＤ番号を前記サーバーに送信し、前記サーバーは前記キーワード及びＩＤ番号をディジタル放送事業者装置に送り、前記ディジタル放送事業者装置は前記ＩＤ番号及びキーワードをディジタル放送波に載せて送出し、ディジタル放送受信装置は前記ＩＤ番号に基づいて自機宛てのキーワードを取得し、このキーワードを含む番組から成る個別番組表を作成して電子番組ガイドに利用するように構成されたことを特徴とする。
【０００９】
上記構成においては、利用者は携帯電話等の情報端末を利用して番組選択のためのキーワードを入力する。キーワードはサーバーを経てディジタル放送事業者装置に伝えられ、ディジタル放送波によって自宅のディジタル放送受信装置に送信される。ディジタル放送受信装置は、自ら前記キーワードにて個別番組表を作成し、この個別番組表を利用して電子番組ガイド表示を行う。
【００１２】
【発明の実施の形態】
以下、この発明の実施形態を図１乃至図４に基づいて説明するが、ここではユーザがＢＳ（Ｂｒｏａｄｃａｓｔｉｎｇ  Ｓａｔｅｌｌｉｔｅ）ディジタル放送を視聴する場合を例示している。図１はこの実施形態のディジタル放送システムの概略を示した説明図であり、図２は当該システムの動作アルゴリズムを示した説明図であり、図３は携帯電話のディスプレイ上に表示されたＥＰＧカスタマイズページの説明図であり、図４はＢＳディジタル放送を受信するこの実施形態のディジタル放送受信装置２９を示したブロック図である。
【００１３】
図１に示すディジタル放送システムでは、インターネット３９に接続されたサーバー３１をディジタル放送事業者装置３０の構成要素として示しているが、このような形態に限るものではなく、サーバー３１は別箇所に存在し、このサーバー３１から放送事業者装置３０に情報が送信されるようになっていてもよい。すなわち、放送事業者装置３０がインターネット３９に接続されていることは必須ではない。
【００１４】
放送事業者装置３０は、Ａ放送局３６やＢ放送局３７などから送られてくるトランスポートストリーム（ＴＳ）を合成部３３にて合成し、変調・送信部３５によって衛星（ＢＳ）３８にアップリンクを行う。
【００１５】
サーバー３１は、図示しないＨＴＭＬファイル格納部や番組データベースを有している。前記格納部には“ＥＰＧカスタマイズページ”などがＨＴＭＬファイルとして格納されている。Ｗｅｂ機能を備える携帯電話４０などから上記ＨＴＭＬファイルの場所を特定するＵＲＬが送られてくると、サーバー３１は上記ＵＲＬに対応したＨＴＭＬファイルを格納部から取り出して携帯電話４０に返送することになる。
【００１６】
携帯電話４０は、搭載しているブラウザによってディスプレイ上にＨＴＭＬファイルを表示する。このＨＴＭＬファイルが“ＥＰＧカスタマイズページ”の場合、ディスプレイ上には、図３（ａ）に示すような表示がなされる。利用者は、例えばたまごを使った料理番組に絞って番組表をカタマイズしたいのであれば、このページにおいて図３（ｂ）に示すように、キーワード入力枠に“料理  レシピ”及び“たまご”といったキーワードを入力する。また、ＩＤ番号入力枠にはＩＤ番号（ＩＣカード１６Ａに印刷されているＩＤ番号）を入力する。前記キーワード及びＩＤ番号はインターネット３９を通じてサーバー３１に送信される。なお、ＩＤ番号を予め携帯電話４０に記憶させておき、所定の操作を行うことでＩＤ番号入力枠にＩＤ番号が自動入力されるようにすることも可能である。
【００１７】
サーバー３１は、前記キーワードを受け取ると、番組データベース（番組名以外の各種番組情報を含んでいる）のなかから“料理”又は“レシピ”の文言を含む番組であって、且つ“たまご”の文言を含む番組をリストアップして個別番組表を作成し、これを個別番組表挿入部３２に与える。なお、放送事業者設備３０とサーバー３１とを切り離した構成を想定した場合、個別番組表をサーバー３１が作成して放送事業者設備３０に与える形態と、サーバー３１がキーワードを放送事業者設備３０に与え、放送事業者設備３０が個別番組表を作成する形態とが考えられる。
【００１８】
個別番組表挿入部３２は、個別番組表及びＩＤ番号をパケット化して合成部３３に与える。なお、ＩＤ番号により個別にディジタル放送受信装置２９に宛てて情報配信サービスを行うものとして、メールサービスが既に知られている。合成部３３は、上記パケットと映像等のパケットとを合成し、伝送フレーム化して変調・送信部３５に与える。変調・送信部３５は伝送フレームを変調して電波に載せて衛星（ＢＳ）３８へと送出する。衛星３８は、受信した電波を地上に向けて供給する。
【００１９】
次に、ディジタル放送受信装置２９を図４に基づいて説明していく。アンテナ１は、屋外において所定の方向に向けて配置されており、衛星３８から送られてくるディジタル放送波を受信する。このアンテナ１は、一般に周波数変換器を備え、受信／周波数変換した信号をチューナ２に与える。
【００２０】
チューナ２は、映像・音声データを含む高周波ディジタル変調信号のうちから特定周波数の信号を取り出す。すなわち、ディジタル放送の複数のトランスポンダのなかから一つを選択する処理を行う。また、チューナ２は、復調回路、逆インタリーブ回路、誤り訂正回路などを備えることにより、選択したディジタル変調信号を復調してトランスポート・ストリームを出力する。
【００２１】
デマルチプレクサ（ＤＥＭＵＸ）３は、チューナ２から受け取ったトランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオトランスポートパケット、オーディオトランスポートパケット、およびＰＳＩ（Ｐｒｏｇｒａｍ  Ｓｐｅｃｉｆｉｃ  Ｉｎｆｏｒｍａｔｉｏｎ）に分離する。デマルチプレクサ３は、ビデオトランスポートパケットとオーディオトランスポートパケットをＡＶデコーダ４に供給し、ＰＳＩに含まれる付属情報などをＣＰＵ１３に供給する。なお、前述のごとく、トランスポート・ストリームには複数のチャンネルが多重化されており、このなかから任意のチャンネルを選択するための処理は、前記ＰＳＩから任意のチャンネルがトランスポート・ストリーム中でどのパケットＩＤで多重化されているかといったデータを取り出すことで可能となる。また、トランスポート・ストリームの選定（トランスポンダの選定）もＰＳＩの情報に基づいて行うことができる。また、前記付属情報には、番組情報（番組内容、番組開始時刻、番組終了時刻、ジャンル情報等）などが含まれている。更に、ＰＳＩに基づいてＩＤ番号挿入パケットを分離・取得できるようになっている。
【００２２】
ＡＶデコーダ４は、ビデオトランスポートパケットに対してデコードを行うビデオデコーダ、及びオーディオトランスポートパケットに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。
【００２３】
映像処理回路５は、ＡＶデコーダ４から映像データを受け取ってＤ／Ａ変換を行い、例えばＮＴＳＣフォーマットのコンポジット信号に変換する。音声信号処理回路６は、ＡＶデコーダ４から出力された音声データを受け取ってＤ／Ａ変換を行い、例えば右（Ｒ）音のアナログ信号および左（Ｌ）音のアナログ信号を生成する。
【００２４】
映像出力回路７及び音声出力回路８は出力抵抗や増幅器等を備えて成る。ＡＶ出力端子９には出力部（左右音声出力端子等や映像出力端子のセット）が設けられており、この出力部には、映像／音声コード１７によって受像部１８ａ及びスピーカ１８ｂを備えるモニタ１８が接続される。
【００２５】
ＯＳＤ（オンスクリーンディスプレイ）回路１２は、ＣＰＵ１３から出力指示された文字情報等に基づくビットマップデータを加算器２０に出力する。加算器２０は前記ビットマップデータを映像に組み込む処理を行う。上記ＯＳＤ回路１２により、ＣＰＵ１３が受け取った前述のＰＳＩに含まれる付属情報に基づく通常のＥＰＧ（Ｅｌｅｃｔｒｏｎｉｃ  Ｐｒｏｇｒａｍ  Ｇｕｉｄｅ）画面表示の他、後述する個別ＥＰＧ画面表示が実現される。
【００２６】
ＩＣカード１６Ａは、有料番組を視聴可能にするための鍵情報や番組毎に課金対象となるＰＰＶ（ペイ・パー・ビュー）番組の購入履歴情報などを格納する。また、ＩＣカード１６ＡにはＩＤ番号が印刷されているので、利用者はＩＤ番号を知ることができる。ＣＡモジュール１６は、ＣＰＵ１３とＩＣカード１６Ａとの間で諸情報の書込処理や読出処理を行う。これにより、ＣＰＵ１３は自機のＩＤ番号を認識し、ＩＤ番号挿入パケットのＩＤが自機のＩＤかどうかを判断することができ、自機のＩＤである場合にはパケットのデータを取り込む処理を行うことになる。
【００２７】
メモリ１４は、通常番組表のデータの他、個別番組表のデータを格納する。
【００２８】
リモコン送信機１０は、当該放送受信装置２９に指令を送出するための送信機である。このリモコン送信機１０に設けられた図示しないキーを操作すると、そのキーに対応した指令を意味する信号光（リモコン信号）が図示しない発光部から送出される。リモコン受光器１１は、前記信号光を受光し、これを電気信号に変換してＣＰＵ１３に与える。
【００２９】
次に、この実施形態のディジタル放送システムの動作アルゴリズムを図２に基づいて説明していく。利用者は携帯電話などを用い、インターネットを通じてＥＰＧカスタマイズページにアクセスし、キーワード及びＩＤ番号を入力してサーバーに送信する（ステップＳ１）。サーバーはＩＤ番号とキーワードを受信し（ステップＳ２）、番組データベースから前記キーワードを含む番組を検索して個別番組表を作成する（ステップＳ３）。ディジタル放送事業者装置３０は、前記個別番組表とＩＤ番号をディジタル放送波に載せて衛星へと送出する（ステップＳ４）。
【００３０】
利用者のディジタル放送受信装置２９は、ディジタル放送波に載せられた個別番組表とＩＤ番号を受信し（ステップＳ５）、受信したＩＤ番号が自機のＩＤ番号かどうかを判断する（ステップＳ６）。自機のＩＤ番号である場合には、個別番組表を装置内に取り込み、この個別番組表を利用してＥＰＧ画面表示を行う（ステップＳ７）。一方、自機のＩＤ番号が存在せず、個別番組表の受信がない場合には、通常番組表（非個別に送信されてくる番組表）にてＥＰＧ画面表示を行う（ステップＳ８）。利用者は、いずれかのＥＰＧ画面表示にて番組を選択して視聴することになる（ステップＳ９）。
【００３１】
このように、かかるディジタル放送システムによれば、利用者は携帯電話４０によってサーバー３１から配信されたＥＰＧカスタマイズページを閲覧し、このページ上でキーワードを入力して前記サーバー３１に送信し、自宅のディジタル放送受信装置２９にカスタマイズされた個別番組表をディジタル放送波にて受信させることができる。これにより、利用者は上記個別番組表によるＥＰＧ画面表示を見て素早く自身の望む番組を選択していくことが可能になる。
【００３２】
なお、上記の例では、ＥＰＧカスタマイズページにおいて直ちにキーワードを入力させることとしたが、その前段階でジャンル検索にて絞り込んだ後にキーワード検索を行う手法を採用してもよい。また、例えば検索による番組ヒット数をサーバーから携帯電話に返送し、個別番組表を作成してよいかどうかの確認を行うようにしてもよい。ＥＰＧカスタマイズページによらずに、電子メールにＩＤ番号とキーワードを記入してサーバー３１に宛てて送ることによっても、ＩＤ番号及びキーワードをサーバー３１に取得させることが可能である。
【００３３】
また、携帯電話４０を用いてキーワードを入力する例を示したが、これに限らず、インターネット接続環境を備えたパーソナルコンピュータ等を用いてキーワード等を入力するようにしてもよい。
【００３４】
また、キーワードに基づいて作成した個別番組表をディジタル放送受信装置に送信することとしたが、キーワードそのもの（キーワードのａｎｄ／ｏｒの式を含む）を個別にディジタル放送受信装置に送信し、受信装置側において通常番組表から前記キーワードによる番組検索を行い、個別番組表を得るようにしてもよい。個別番組表のデータ量に比べてキーワードそのもののデータ量は格段に少なく、放送事業者装置３０の送信負担の軽減が図れる。また、受信装置側において受信したキーワード（キーワードのａｎｄ／ｏｒの式を含む）を幾つか登録できるようにしておき、かかる登録キーワードを後で利用できるようにしておいてもよい。
【００３５】
また、個別番組表やキーワードをディジタル放送波にて個別にディジタル放送受信装置２９に与えることに代え、ディジタル放送受信装置２９に文字入力機能を付加し、例えばリモコン送信機１０を用いて受信装置２９にキーワードを与えるようにしてもよい。キーワードを受け取った受信装置２９は、前述のごとく放送波にてキーワードを受け取った場合と同様に動作することになる。これによれば、受信装置２９に文字入力機能が必要になるものの、当該受信装置において個別番組表の生成が行えることになる。
【００３６】
また、ＢＳディジタル放送を例に説明したが、ＣＳディジタル放送や地上波ディジタル放送等においても、同様に適用することができる。
【００３７】
【発明の効果】
以上説明したように、この発明によれば、利用者によってカスタマイズされた番組表を利用してＥＰＧ画面表示がなされ、この絞り込まれた番組欄上で番組選択を行うことになるから、番組選択が素早く且つ容易に行えるという効果を奏する。
【図面の簡単な説明】
【図１】この発明の実施形態のディジタル放送システムを示した説明図である。
【図２】ディジタル放送システムの動作アルゴリズムを示した説明図である。
【図３】同図（ａ）（ｂ）は携帯電話のディスプレイ上に表示されたＥＰＧカスタマイズページの一例を示した説明図である。
【図４】この発明の実施形態のディジタル放送受信装置を示すブロック図である。
【符号の説明】
１    アンテナ
２    チューナ
３    デマルチプレクサ（ＤＥＭＵＸ）
４    ＡＶデコーダ
１０  リモコン送信機
１３  ＣＰＵ
１６Ａ  ＩＣカード
２９  ディジタル放送受信装置
３０  放送事業者装置
３１  サーバー
３９  インターネット
４０  携帯電話
【図１】
0003631125.tif 000002
【図２】
0003631125.tif 000003
【図３】
0003631125.tif 000004
【図４】
0003631125.tif 000005